(57)【要約】  【課題】握力訓練に用いる多機能健康器を提供する。  【解決手段】本考案の主な特長は、相異なる方向に向かって伸長する２つの延在部分１１を有するコイルバネ部１０と、各自に湾曲形棒材２１と軟質スリーブパッド２２とを有する２つのグリップハンドル２０と、コイルバネ部の外を覆って互いに回転可能な第１、第２枠体３１，３２を有するカバー枠組立体３０とを備え、湾曲形棒材は、連結端２１１と、末端２１２と、湾曲部分２１３とを含み、連結端は、コイルバネ部の延在部分から一体に延伸され、Ｕ字状態様を呈する湾曲部分には内部空間２１４が形成され、第１、第２枠体にコイルバネ部の延在部分の通り抜けのための被覆管３３が各々に設けられ、２つのグリップハンドルの湾曲部分の間に３０度〜８０度の範囲内にある夾角を有し、各グリップハンドルの連結端、湾曲部分及び末端により形成される輪郭は、一般成人の手掌の掴持範囲より小さくなっている。  【選択図】図２
0003221499.tif 000002
【実用新案登録請求の範囲】
【請求項１】
コイルバネ部１０と、いずれも前記コイルバネ部１０に連設される２つのグリップハンドル２０と、前記コイルバネ部１０の外に取付被覆されるカバー枠組立体３０とを備える、握力訓練に用いる多機能健康器であって、
前記コイルバネ部１０の相異なる両端のそれぞれが相異なる方向に向かって伸長して２つの延在部分１１が形成され、
各当該グリップハンドル２０は、湾曲形棒材２１と、前記湾曲形棒材２１の外部を覆う軟質スリーブパッド２２とを有し、前記湾曲形棒材２１は、連結端２１１と、末端２１２と、前記連結端２１１と前記末端２１２との間に介在する湾曲部分２１３とを含み、前記連結端２１１は、前記コイルバネ部１０とそれに相対応する当該延在部分１１から一体的に延伸され、前記湾曲部分２１３は、Ｕ字状折り返し態様を呈してその内部に内部空間２１４が相対形成され、しかも前記連結端２１１と前記末端２１２は、隣接同士の配置関係に構成され、そのうちの１つのグリップハンドル２０の前記連結端２１１と、他方のグリップハンドル２０の前記末端２１２とは、相対応関係を呈して構成され、
前記カバー枠組立体３０は、相互に組み合わせられて相対旋回関係を呈する第１枠体３１と、第２枠体３２とを有し、かつ前記第１枠体３１の適所と前記第２枠体３２の適所とに各自に前記コイルバネ部１０の前記２つの延在部分１１の通り抜けのための被覆管３３が各別に設けられ、
かつ、前記２つのグリップハンドル２０の前記湾曲部分２１３の間に夾角Ｘを有し、前記夾角Ｘが３０度〜８０度の範囲内にあり、
また、各当該グリップハンドル２０の前記連結端２１１、前記湾曲部分２１３及び前記末端２１２により形成される輪郭は、一般成人の手掌の掴持範囲より小さくなっていることを特徴とする、多機能健康器。
【請求項２】
前記湾曲部分２１３のＵ字状折り返し態様を呈する部位の幅Ｗ１は、前記連結端２１１と前記末端２１２との部位の幅Ｗ２よりも大きいことを特徴とする、請求項１に記載の多機能健康器。
【請求項３】
前記カバー枠組立体３０の前記第１枠体３１と前記第２枠体３２との相対旋回部位に、互いに位置合わせされる環溝３４と環状突縁３５とが別設され、前記環状突縁３５が弛緩配置状態を呈して前記環溝３４に嵌合されることにより、前記第１枠体３１と前記第２枠体３２とは相対的に力を受けて回転することを特徴とする、請求項１または請求項２に記載の多機能健康器。
【考案の詳細な説明】
【技術分野】
【０００１】
本考案は、運動健康器に係り、特に、握力訓練に用いる斬新な多機能健康器の構造形態の開示に関するものである。
【背景技術】
【０００２】
現在市場に見られる運動健康器の種類が雑多であり、本考案において探究される運動健康器は、主に手部の筋肉の運動フィットネス機能に関するものである。
【０００３】
現在市場に見られる手部の筋肉の運動フィットネス機能を持つ運動健康器を概観すると、主に握力器及び合掌器などが挙げられる。しかし、調査によれば、現在、これらの運動健康器は、構造形態設計上、通常、筋力が強い使用者に比較的に適している。しかしながら、筋力が比較的に弱いが、人数が大勢いるその他の幅広い使用者層（例えば、高年層、児童及び術後のリハビリ対象者など）にとっては、前述した従来の握力器及び合掌器などの運動健康器は、実際の使用上、依然として操作に手間がかかり、難度が高くなり、しかも目標達成感が生じにくくなり、及び継続的に使用意欲を引き起させることが難しいなどの弊害と問題点が存在していることが明らかとなった。
【考案の概要】
【考案が解決しようとする課題】
【０００４】
これに基づいて、如何にして使用がより容易であり、機能により多様性を持つことができる運動健康器を研究開発するかが、実に、関連業界が継続的に努力し続けながら、注目すべき重要な技術的課題である。
【０００５】
本考案は、握力訓練に用いる多機能健康器を提供することを主な目的とし、その解決しようとする技術的課題は、如何にしてより理想的で実用性のあるオリジナルな健康器の構造形態を研究開発するかを目標として革新突破を図ることである。
【課題を解決するための手段】
【０００６】
前述した目的に基づいて、本考案が提供する握力訓練に用いる多機能健康器は、コイルバネ部と、いずれもコイルバネ部に連設される２つのグリップハンドルと、コイルバネ部の外に取付被覆されるカバー枠組立体とを備え、コイルバネ部の相異なる両端のそれぞれが相異なる方向に向かって伸長して２つの延在部分が形成され、各グリップハンドルは、湾曲形棒材と、湾曲形棒材の外部を覆う軟質スリーブパッドとを有し、湾曲形棒材は、連結端と、末端と、連結端と末端との間に介在する湾曲部分とを含み、その内、連結端は、コイルバネ部とそれに相対応する延在部分から一体的に延伸され、湾曲部分は、Ｕ字状折り返し態様を呈してその内部に内部空間が相対形成され、しかも前記連結端と前記末端は、隣接同士の配置関係に構成され、そのうちの１つのグリップハンドルの連結端と、他方のグリップハンドルの末端とは、相対応関係を呈して構成され、カバー枠組立体は、相互に組み合わせられて相対旋回関係を呈する第１枠体と、第２枠体とを有し、かつ第１枠体の適所と前記第２枠体の適所とに各自にコイルバネ部の２つの延在部分の通り抜けのための被覆管が各別に設けられ、かつ、２つのグリップハンドルの湾曲部分の間に３０度〜８０度の範囲内にある夾角を有し、また、各グリップハンドルの連結端、湾曲部分及び末端により形成される輪郭は、一般成人の手掌の掴持範囲より小さくなっている。
【考案の効果】
【０００７】
このような斬新な独特の構成によれば、本考案は、従来の技術に比べて、使用者に多様な機能を持つ健康器を提供することができ、その実際の応用面では、両手で操作制御する合掌運動形式を行うか、両手で同時に操作したり、片手で操作したりする握力運動を行うか、あるいは、身体の他の部位で開閉するように力を加えて運動するように提供され、これらのほかにハンドヘルド電子装置の立て掛けスタンドとしての使用にも適する。それゆえ、とりわけ実用的利点と好適な産業利用性を有する。
【図面の簡単な説明】
【０００８】
【図１】本考案の好適な実施形態の外観斜視図である。
【図２】本考案の好適な実施形態の透視斜視図である。
【図３】本考案の好適な実施形態の前面図である。
【図４】本考案の好適な実施形態の一部構造断面図である。
【図５】本考案の好適な実施形態の一部構造断面図である。
【図６】本考案の好適な実施形態の使用状態概略図である。
【図７】本考案の好適な実施形態の使用状態概略図である。
【図８】本考案の好適な実施形態の使用状態概略図である。
【図９】本考案の好適な実施形態の使用状態概略図である。
【考案を実施するための形態】
【０００９】
図１〜図５を参照すると、これらの図に示すのは、本考案の握力訓練に用いる多機能健康器の好適な実施形態であるが、これらの実施形態は説明のみに用いられるもので、実用新案登録請求の際、それらの構造に制限されないものとする。
【００１０】
前記多機能健康器Ａは、下記の構成を備える。すなわち、本考案は、コイルバネ部１０と、いずれも前記コイルバネ部１０に連設される２つのグリップハンドル２０と、前記コイルバネ部１０の外に取付被覆されるカバー枠組立体３０とを備え、コイルバネ部１０の相異なる両端のそれぞれが相異なる方向に向かって伸長して２つの延在部分１１が形成され、各当該グリップハンドル２０は、湾曲形棒材２１と、前記湾曲形棒材２１の外部を覆う軟質スリーブパッド２２（プラスチック発泡材またはゴム材料が採用されてもよいが、これらに限定されない）とを有し、その内、前記湾曲形棒材２１は、連結端２１１と、末端２１２と、前記連結端２１１と前記末端２１２との間に介在する湾曲部分２１３とを含み、その内、前記連結端２１１は、前記コイルバネ部１０とそれに相対応する延在部分１１から一体的に延伸され、前記湾曲部分２１３は、Ｕ字状（又は馬蹄形）折り返し態様を呈してその内部に内部空間２１４が相対形成され、しかも前記連結端２１１と前記末端２１２は、隣接同士の配置関係に構成され、そのうちの１つのグリップハンドル２０の連結端２１１と、他方のグリップハンドル２０の末端２１２とは、相対応関係を呈して構成され、前記カバー枠組立体３０は、相互に組み合わせられて相対旋回関係を呈する第１枠体３１と、第２枠体３２とを有し、かつ前記第１枠体３１の適所と前記第２枠体３２の適所とに各自に前記コイルバネ部１０の２つの延在部分１１の通り抜けのための被覆管３３が各別に設けられ、かつ、その内、前記２つのグリップハンドル２０の湾曲部分２１３の間に夾角Ｘを有し（図３参照）、前記夾角Ｘが３０度〜８０度の範囲内にあり、また、図８に示すように、各当該グリップハンドル２０の連結端２１１、湾曲部分２１３及び末端２１２により形成される輪郭は、一般成人の手掌の掴持範囲より小さくなっている。
【００１１】
上記の構造組立形態と技術的特徴による、本考案に開示された多機能健康器Ａは、実際の使用上、多種の機能を持つ構成について、さらに例を挙げて以下に説明する。まず、図６と図７に示すように、２つのグリップハンドル２０の湾曲部分２１３の間に３０度〜８０度の範囲内にある鋭角形態である夾角Ｘを有するので（図３参照）、使用者は、両手で各別に２つのグリップハンドル２０の湾曲部分２１３の両側を握持することができ（註：図中では側方向から見る視角の角度により、左手のみが見える）、それから、握力に応じた開閉動作を行うように鍛練を行い（矢印Ｌ１参照）、本動作において、使用者が両手で同時に力を加えて行うため、筋力が比較的に弱い使用者層（例えば、高年層、児童及び術後のリハビリ対象者など）にとっては、その操作困難度が相対的に低いので、嫌悪感を抱くことがなくなり、目標達成感が相対的に高まり、継続的に使用意欲の向上につながるのである。なお、図８に図示されるように、前記多機能健康器Ａは、使用者が合掌式鍛練運動をする際に提供されてもよく（矢印Ｌ２参照）、使用者は、両手の手掌を開いた状態で各別に２つのグリップハンドル２０の湾曲部分２１３の相対外側を掴持することができ、それから、合掌式の開閉運動を行い、この動作により、手掌、手首、手腕などの部位を鍛練することができる。また、図９に図示されるように、前記多機能健康器Ａは、運動フィットネス機能を提供することができるほか、その一方のグリップハンドル２０を底座としての方式で机面上に置くこともでき、この時、２つのグリップハンドル２０の湾曲部分２１３の間は鋭角形態を呈するので、このため、角度が上向きの他方のグリップハンドル２０は、その湾曲部分２１３が傾斜状曲握り棒に形成された態様を丁度ハンドヘルド（携帯式タイプの）電子装置４０（例えば、スマートフォンやタブレットコンピュータなど）の立て掛けスタンドとして使用するのに適する。そのほか、前記多機能健康器Ａは、使用者がその他の形式の運動をするように提供されてもよく、例えば、使用者の左右両側大腿の間に置いて挟まれたり解放されたりするように運動するか、使用者の前腕と腰部との間に置いて挟まれたり解放されたりするように運動するか、あるいは、片手で２つのグリップハンドル２０の同じ側を握持して握力運動を行うなどは、いずれも本考案の応用上に具体的に達成できる運動フィットネス形式であり、つまり、これらの逐一の例示は、冗長を避ける意味で省略する。上記の説明から分かるように、前記多機能健康器Ａは、従来、現有の各種の握力器、合掌健康器及び手腕健康器などの運動健康器に比べて言えば、親近感を大幅に高めることができ、一般消費者の多くにより一層適用される。
【００１２】
図５に示すように、本例において、前記湾曲部分２１３のＵ字状（又は馬蹄形）折り返し態様を呈する部位の幅Ｗ１は、前記連結端２１１と前記末端２１２との部位の幅Ｗ２よりも大きい。本例に開示された実施形態のメリットは、湾曲部分２１３のＵ字状折り返し態様を呈する部位を相対的により拡幅した面積に形成し、このようにして使用者が図８に図示された合掌式鍛練運動を行おうとするとき、使用者の手掌の掴持形状に適合した形状を提供することができ、または、前記多機能健康器Ａを、図９に図示されたハンドヘルド電子装置４０（例えば、スマートフォンやタブレットコンピュータなど）の立て掛けスタンドとして提供する場合、安定した載置面積が得られる。
【００１３】
図５に示すように、本例において、前記カバー枠組立体３０の第１枠体３１と第２枠体３２との相対旋回部位に、互いに位置合わせされる環溝３４と環状突縁３５とが別設され、前記環状突縁３５が弛緩配置状態を呈して前記環溝３４に嵌合されることにより、前記第１枠体３１と第２枠体３２とは相対的に力を受けて回転する。これにより、前記２つのグリップハンドル２０に力を受けて相対的に開閉を生じて運動する場合、第１枠体３１と第２枠体３２とは、それに伴って相対回転する。
【符号の説明】
【００１４】
Ａ：多機能健康器
１０：コイルバネ部
１１：延在部分
２０：グリップハンドル
２１：湾曲形棒材
２２：軟質スリーブパッド
２１１：連結端
２１２：末端
２１３：湾曲部分
２１４：内部空間
３０：カバー枠組立体
３１：第１枠体
３２：第２枠体
３３：被覆管
３４：環溝
３５：環状突縁
４０：ハンドヘルド電子装置
Ｘ：夾角 
Ｗ１，Ｗ２：幅
【図１】
0003221499.tif 000003
【図２】
0003221499.tif 000004
【図３】
0003221499.tif 000005
【図４】
0003221499.tif 000006
【図５】
0003221499.tif 000007
【図６】
0003221499.tif 000008
【図７】
0003221499.tif 000009
【図８】
0003221499.tif 000010
【図９】
0003221499.tif 000011